(57)【要約】      （修正有）【課題】エアゾール容器のカバーキャップを利用して残留内容物を回収するときに、作業者がカバーキャップを押し込んだままにする必要がないにもかかわらず、アタッチメントを容器本体から取り外さずに残留内容物を回収することを可能にする。【解決手段】カバーキャップ４０に、ステムに嵌合する孔部４１を設ける。容器本体１０から取り外したカバーキャップ４０の孔部４１をステムに嵌合して押し下げることによりステムが押し込まれる。このときのステムの押下げ状態を維持したまま、カバーキャップ４０をアタッチメント２０に結合することに用いる結合手段を備える。結合手段は、アタッチメント２０の鍔形部２２に圧入嵌合される凸部５０によって形成することが可能である。【選択図】図５
2009249019.tif 000002
【特許請求の範囲】
【請求項１】
上部にドーム形部分を有する円筒状胴部に巻締め部を介して凹入状の上蓋部が結合されてなり、かつ、内容物の吐出通路を形成するステムを備えてそのステムが押し込まれることによって内容物が上記吐出通路から吐出されるようになっている容器本体と、
上記巻締め部の内側に嵌合状に取り付けられた取付部に、上記ステムを臨ませる開口を形作っている板状の鍔形部が具備され、その鍔形部に上記ステムに装着された押込み操作部がヒンジを介して連設されていて、その押込み操作部に上記ステムの吐出通路から吐出された内容物を噴射するノズル部が設けられているアタッチメントと、
上記容器本体に装着されて上記アタッチメントを覆うカバーキャップと、を有し、
上記カバーキャップは、アタッチメントの押込み操作部が取り外された上記ステムにその押込み方向で嵌合可能で、かつ、上記吐出通路を当該カバーキャップの内部空間に臨ませる孔部を有し、この孔部を上記ステムに嵌合した状態でカバーキャップを押し下げるカバーキャップ押下げ動作を行うことによって上記ステムが押し込まれるように構成されているエアゾール容器であって、
上記カバーキャップ押下げ動作を介して当該カバーキャップを上記容器本体に結合することに用いられる結合手段が追加されていて、
その結合手段が、上記カバーキャップに設けられて、上記カバーキャップ押下げ動作を介してアタッチメントの上記開口に挿入されることにより上記鍔形部に圧入嵌合されて上記カバーキャップをアタッチメントに保持させる凸部によって構成されていることを特徴とするエアゾール容器。
【請求項２】
上記凸部に、上記カバーキャップ押下げ動作を介して当該凸部が上記鍔形部に圧入嵌合されたときにその鍔形部に係合されるリブ状の係合爪が追加されている請求項１に記載したエアゾール容器。
【請求項３】
上記カバーキャップに、上記カバーキャップ押下げ動作を介してアタッチメントの上記鍔形部の外側に遊嵌合される凹入部が備わり、この凹入部の内壁面に、上記カバーキャップ押下げ動作を介して上記凸部が上記鍔形部に圧入嵌合されたときに上記巻締め部に係合するリブ状の上記係合爪が追加されている請求項１に記載したエアゾール容器。
【請求項４】
上部にドーム形部分を有する円筒状胴部に巻締め部を介して凹入状の上蓋部が結合されてなり、かつ、内容物の吐出通路を形成するステムを備えてそのステムが押し込まれることによって内容物が上記吐出通路から吐出されるようになっている容器本体と、
上記巻締め部の内側に嵌合状に取り付けられた取付部に、上記ステムを臨ませる開口を形作っている板状の鍔形部が具備され、その鍔形部に上記ステムに装着された押込み操作部がヒンジを介して連設されていて、その押込み操作部に上記ステムの吐出通路から吐出された内容物を噴射するノズル部が設けられているアタッチメントと、
上記容器本体に装着されて上記アタッチメントを覆うカバーキャップと、を有し、
上記カバーキャップは、アタッチメントの押込み操作部が取り外された上記ステムにその押込み方向で嵌合可能で、かつ、上記吐出通路を当該カバーキャップの内部空間に臨ませる孔部を有し、この孔部を上記ステムに嵌合した状態でカバーキャップを押し下げるカバーキャップ押下げ動作を行うことによって上記ステムが押し込まれるように構成されているエアゾール容器であって、
上記カバーキャップ押下げ動作を介して当該カバーキャップを上記容器本体に結合することに用いられる結合手段が追加されていて、
その結合手段が、容器本体の上記巻締め部に係合する係合爪を有して、その係合爪が、上記カバーキャップに設けられて上記カバーキャップ押下げ動作を介してアタッチメントの上記鍔形部の外側に遊嵌合される凹入部の内壁面に形成されていることを特徴とするエアゾール容器。
【請求項５】
上記カバーキャップに、当該カバーキャップが上記結合手段によって容器本体に結合されたときに、容器本体の上記ドーム形部分の表面に重なり合ってカバーキャップの結合姿勢を安定させる支え面が備わっている請求項１ないし請求項４のいずれか１項に記載したエアゾール容器。
【発明の詳細な説明】
【技術分野】
【０００１】
本発明は、エアゾール容器、特に、エアゾール容器に備わっているカバーキャップを利用することにより、残留内容物をカバーキャップで回収して廃棄することのできる対策が講じられているエアゾール容器に関する。
【背景技術】
【０００２】
この種のエアゾール容器では、有底筒状の容器本体に、内容物の吐出通路を有するステムが取り付けられていて、ステムが押し込まれると内容物が吐出通路を経て吐出され、ステムが押込み位置から初期位置に復帰すると内容物の吐出が停止するようになっているものがある。
【０００３】
また、エアゾール容器には、チップ型ノズルを採用したエアゾール容器やアタッチメントを採用したエアゾール容器がある。
【０００４】
このうち、チップ型ノズルを採用したエアゾール容器では、ステムにチップ型のノズルが差し込まれている。このものでは、ノズルを手の指で押し下げてステムを押し込むと、内容物がステムの吐出通路を経てノズルの噴射口から噴射される。
【０００５】
これに対し、アタッチメントを採用したエアゾール容器では、容器本体の頂部に取り付けられたアタッチメントがノズル部を有する押下げ操作部を有して、その押下げ操作部がステムに差し込まれている。このものでは、押下げ操作部を手の指で押し下げてステムを押し込むと、内容物がステムの吐出通路を経てノズル部の噴射口から噴射される。
【０００６】
一方、使用済みのエアゾール容器では、残留内容物の全量をできるだけ少なくして廃棄することが勧奨されていて、そのための対策として、エアゾール容器から取り外したカバーキャップを利用することが行われている。
【０００７】
従来より講じられている上記対策は、エアゾール容器から取り外したカバーキャップの内部空間にステムの吐出通路を臨ませ、ステムの吐出通路から吐出される残留内容物をカバーキャップで回収するというものである（たとえば、特許文献１、特許文献２参照）。
【０００８】
特許文献１のものでは、カバーキャップによって残留内容物を回収作業中には、作業者がカバーキャップを人力で常時押し下げたまま保つようになっている。これに対し、特許文献２のものでは、カバーキャップを容器本体に結合しておくだけで、作業者が人力でカバーキャップを常時押し下げておかなくても、ステムが押し込まれたままになる。また、この特許文献２には、エアゾール容器としてのスプレー缶が示されていて、残留内容物をカバーキャップで回収するときには、通常使用時にステムに装着されているチップ型のノズルを取り外してからカバーキャップを容器本体に結合するということが記載されている。
【０００９】
また、容器本体から取り外したカバーキャップに備わっている噴射ヘッド係合部（突条）を、容器本体に備わっている治具係合部（ガイド溝）に横方向からスライドさせて嵌め込むことにより、カバーキャップ側のボタン当接部をステムに装着されているアタッチメントの押しボタン部に横方向からスライドさせて乗り上がらせるという操作を介してステムを押し込ませ、残留内容物をカバーキャップに回収するという提案もなされている（たとえば、特許文献３参照）。
【特許文献１】実用新案登録第３０６２３３５号公報（図７）
【特許文献２】特開平１０−２６４９５８号公報（図９、図１２）
【特許文献３】特開２０００−３３５６６１号公報（図９、図１０）
【発明の開示】
【発明が解決しようとする課題】
【００１０】
特許文献１に記載されているエアゾール容器のように、残留内容物を回収するときに、カバーキャップを作業者が人力で常時押し下げておくことは、作業者にとって負担が大きく、場合によっては、十分に残留内容物が回収されていない間に作業者がカバーキャップから手を離して回収作業を止めてしまうということが起こり得る。これに対し、特許文献２に記載されているものでは、作業者がカバーキャップを常時押し下げておく必要がなく、カバーキャップを容器本体に結合して放置しておくだけでステムが押し込まれたままになるために、残留内容物を十分に回収することができるという利点がある。
【００１１】
しかしながら、特許文献２に記載されているものでは、残留内容物の回収作業時にステムからチップ型のノズルを取り外さなければならないという煩わしさがある。また、残留内容物の回収作業時に、ステムから取り外されたノズルが容器本体や容器本体に結合されたカバーキャップから離れて紛失してしまったり、ノズルを容器本体及び容器本体に結合されているカバーキャップとは別に廃棄したりしなければならないという煩わしさがある。
【００１２】
一方、特許文献３に記載されているエアゾール容器では、ステムからアタッチメントを取り外すことなく残留内容物をカバーキャップに回収することができるという利点がある。しかしながら、このエアゾール容器は、残留内容物を回収するときに、カバーキャップを横方向からスライドさせてそのカバーキャップ側のボタン当接部をアタッチメントの押しボタン部にスライドさせて乗り上がらせるという操作を行うようになっているので、残留内容物の回収作業時に行われるカバーキャップのスライド方向がステムの押込み方向に対して直角の方向になる。そのため、作業者（ユーザ）にとっては、容器にカバーキャップを装着する際のカバーキャップのスライド方向が、アタッチメントの押しボタン部の押込み方向ではなくてその押込み方向に対して直角になっているというとまどいを生じることがある。このため、エアゾール容器を直観的に取り扱うことの多いユーザにとっては、直観的な操作を通じて残留内容物を回収することができないことになる。
【００１３】
本発明は以上の状況の下でなされたものであり、容器本体にアタッチメントが装着されているエアゾール容器において、カバーキャップを利用して残留内容物を回収するときに、作業者がカバーキャップを押し込んだままにする必要がないにもかかわらず、アタッチメントを容器本体から取り外さずに残留内容物を回収することが可能になり、しかも、カバーキャップを容器本体に装着する際にカバーキャップの装着方向をステムの押込み方向と同一にすることのできる対策を講じることによって、ユーザにとって直観的な使いやすい操作を行うだけで残留内容物を回収することが可能になるエアゾール容器を提供することを目的としている。
【００１４】
また、本発明は、残留内容物の回収に利用されるカバーキャップを、ぐらつかない状態で安定性よく容器本体に保持させておくことのできるエアゾール容器を提供することを目的とする。
【００１５】
さらに、本発明は、残留内容物の回収作業時にアタッチメントを容器本体に結合するという対策を講じた上で、その結合手段の具体例を提案することを目的としている。
【課題を解決するための手段】
【００１６】
請求項１の発明に係るエアゾール容器は、上部にドーム形部分を有する円筒状胴部に巻締め部を介して凹入状の上蓋部が結合されてなり、かつ、内容物の吐出通路を形成するステムを備えてそのステムが押し込まれることによって内容物が上記吐出通路から吐出されるようになっている容器本体と、上記巻締め部の内側に嵌合状に取り付けられた取付部に、上記ステムを臨ませる開口を形作っている板状の鍔形部が具備され、その鍔形部に上記ステムに装着された押込み操作部がヒンジを介して連設されていて、その押込み操作部に上記ステムの吐出通路から吐出された内容物を噴射するノズル部が設けられているアタッチメントと、上記容器本体に装着されて上記アタッチメントを覆うカバーキャップと、を有している。また、上記カバーキャップは、アタッチメントの押込み操作部が取り外された上記ステムにその押込み方向で嵌合可能で、かつ、上記吐出通路を当該カバーキャップの内部空間に臨ませる孔部を有し、この孔部を上記ステムに嵌合した状態でカバーキャップを押し下げるカバーキャップ押下げ動作を行うことによって上記ステムが押し込まれるように構成されている。
【００１７】
そして、このような基本構成に、上記カバーキャップ押下げ動作を介して当該カバーキャップを上記容器本体に結合することに用いられる結合手段が追加されていて、その結合手段が、上記カバーキャップに設けられて、上記カバーキャップ押下げ動作を介してアタッチメントの上記開口に挿入されることにより上記鍔形部に圧入嵌合されて上記カバーキャップをアタッチメントに保持させる凸部によって構成されている。
【００１８】
この構成であると、残留内容物の回収作業時には、ステムに対するカバーキャップの孔部の嵌合方向が、残留内容物を吐出させるときのステムの押込み方向に一致する。しかも、結合手段の作用でカバーキャップを容器本体に結合させるときに行われるカバーキャップ押下げ動作の方向もステムの押込み方向に一致する。そのため、残留内容物の回収作業時にカバーキャップを容器本体に装着するときには、ユーザにとって直観的な使いやすい操作を行うだけで済む。また、カバーキャップ側の凸部をアタッチメントの鍔形部に圧入嵌合しておきさえすれば、作業者がカバーキャップから手を離してもステムが押し下げられたままになり、カバーキャップのぐらつきや容器本体からの脱落も起こりにくくなる。
【００１９】
さらに、容器本体からアタッチメントを取り外さずに残留内容物を回収することが可能になるので、残留内容物の回収作業時にアタッチメントを容器本体から取り外すという煩わしさや、容器本体から取り外したアタッチメントが紛失したりすることがなくなり、さらに、アタッチメントを容器本体やカバーキャップとは別に廃棄しなければならないという煩わしさもなくなる。
【００２０】
請求項２の発明に係るエアゾール容器では、上記凸部に、上記カバーキャップ押下げ動作を介して当該凸部が上記鍔形部に圧入嵌合されたときにその鍔形部に係合されるリブ状の係合爪が追加されている。この構成を採用すると、凸部が鍔形部に圧入嵌合することによって発揮されるぐらつき防止や脱落防止の作用に、アタッチメントの鍔形部に対する係合爪の係合作用が相乗する。そのため、残留内容物の回収作業時のカバーキャップの安定性が向上し、残留内容物の回収途中でカバーキャップがぐらついたり脱落したりして、ステムから吐出された内容物がカバーキャップに回収されずに周囲に飛び散ってしまうという事態が起こりにくくなる。
【００２１】
請求項３の発明に係るエアゾール容器は、上記カバーキャップに、上記カバーキャップ押下げ動作を介してアタッチメントの上記鍔形部の外側に遊嵌合される凹入部が備わり、この凹入部の内壁面に、上記カバーキャップ押下げ動作を介して上記凸部が上記鍔形部に圧入嵌合されたときに上記巻締め部に係合するリブ状の上記係合爪が追加されている。この構成を採用した場合でも、凸部が鍔形部に圧入嵌合することによって発揮されるぐらつき防止や脱落防止の作用に、容器本体の巻締め部に対する係合爪の係合作用が相乗する。そのため、上記同様に、残留内容物の回収作業時のカバーキャップの姿勢安定性が向上し、残留内容物の回収途中でカバーキャップがぐらついたり脱落したりして、ステムから吐出された内容物がカバーキャップに回収されずに周囲に飛び散ってしまうという事態が起こりにくくなる。
【００２２】
請求項４に係るエアゾール容器は、上記した基本構成に、上記カバーキャップ押下げ動作を介して当該カバーキャップを上記容器本体に結合することに用いられる結合手段が追加されていて、その結合手段が、容器本体の上記巻締め部に係合する係合爪を有して、その係合爪が、上記カバーキャップに設けられて上記カバーキャップ押下げ動作を介してアタッチメントの上記鍔形部の外側に遊嵌合される凹入部の内壁面に形成されている。
【００２３】
この構成を有するエアゾール容器においても、上記したところと同様に、残留内容物の回収作業時にカバーキャップを容器本体に装着するときの操作が直観的になる。また、カバーキャップの孔部をステムに嵌合してそのステムを押し込み、カバーキャップの結合手段としての係合爪を容器本体の巻締め部に係合させておきさえすれば、作業者がカバーキャップから手を離してもステムが押し下げられたままになる。そのため、残留内容物の回収作業時にカバーキャップを作業者が手で押し込んだままにする必要がなくなる。
【００２４】
さらに、係合爪の係合箇所が容器本体の巻締め部であり、その巻締め部はもともと容器本体に備わっている部分であるので、容器本体やアタッチメントの構造を変更することなく、カバーキャップに結合手段としての係合爪を設けるだけで済む。
【００２５】
そのほか、容器本体からアタッチメントを取り外さずに残留内容物を回収することが可能になるので、残留内容物の回収作業時にアタッチメントを容器本体から取り外すという煩わしさや、容器本体から取り外したアタッチメントが紛失したりすることがなくなり、さらに、アタッチメントを容器本体やカバーキャップとは別に廃棄しなければならないという煩わしさもなくなる。
【００２６】
請求項５に係るエアゾール容器は、上記カバーキャップに、当該カバーキャップが上記結合手段によって容器本体に結合されたときに、容器本体の上記ドーム形部分の表面に重なり合ってカバーキャップの結合姿勢を安定させる支え面が備わっている、というものである。これによれば、カバーキャップの支え面が容器本体側のドーム形部分の表面に重なり合ってカバーキャップの結合姿勢を安定させるために、残留内容物の回収途中でのカバーキャップのぐらつきや脱落がいっそう確実に防止される。
【発明の効果】
【００２７】
以上のように、本発明によれば、残留内容物の回収作業に際し、ユーザにとって直観的な使いやすい操作を行ってカバーキャップを容器本体に結合することが可能になるという効果が奏される。また、残留内容物の回収に利用されるカバーキャップを、ぐらついたり脱落したりしないように安定性よく容器本体に保持させておくことができる。そのために、残留内容物の回収作業を迅速かつ安全に行うことができるようになる。
【００２８】
また、残留内容物の回収作業時に、作業者がカバーキャップを常時押し込んでおかなければならないという煩わしさや、アタッチメントを容器本体から取り外すという煩わしさがなくなるだけでなく、エアゾール容器に当初から備わっているすべての部品、具体的には、容器本体とアタッチメントとカバーキャップとを残留内容物の回収が終わった後に一括して廃棄してしまうことができるという利便性がある。
【発明を実施するための最良の形態】
【００２９】
図１は本発明の対象であるエアゾール容器の概略側面図である。同図のように、このエアゾール容器は、冒頭で説明した「アタッチメントを採用したエアゾール容器」に属している。さらに具体的には、容器本体１０が有底の円筒状胴部１２を有している。この円筒状胴部１２には、その上部に巻締め結合されているマウンテンカップが含まれていて、そのマウンテンカップによってドーム形部分１３が形成されている。このような形状の容器本体１０の上部には、凹入状の上蓋部（図に現れていない）が巻締め結合されている。そして、その上蓋部にアタッチメント２０が取り付けられている。ドーム形部分１３と上蓋部とを結合している巻締め部を符号１４で示してある。
【００３０】
容器本体１０には、凹入状の上記上蓋部の中央部から突き出たステム１６が取り付けられている。そして、このステム１６が初期位置から押し込まれると、容器本体１０の内容物がステム１６の吐出通路を経て外部に吐出される。また、ステム１６は初期位置に向けて弾発付勢されていて、ステム１６に対する押込み力が解除されると、ステム１６が初期位置に復帰して内容物の吐出が止まる。
【００３１】
図２はアタッチメント２０を一部省略して示した斜視図である。図１又は図２のように、アタッチメント２０は、短い円筒状の取付部２１の一端に板状の鍔形部２２を有していて、この鍔形部２２にヒンジ２３を介して押込み操作部２４が連設されている。押し込み操作部２４にはノズル部２５と舌片状の摘み部２６とが設けられていて、ヒンジ２３が図１のように折り曲げられた状態では、鍔形部２２によって形作られている開口２７に押込み操作部２４が臨むようになっている。また、この鍔形部２２によって形作られている開口２７の口縁部２８は、周方向の２箇所で内向きに張り出している。このようなアタッチメント２０は、ノズル部２５を除く部分が樹脂で一体成形されているのに対して、ノズル部２５は押込み操作部２４に圧入状態で装着されている。このアタッチメント２０は、取付部２１を、容器本体１０のドーム形部分１３と上蓋部とを結合している巻締め部１４の内側に圧入嵌合することによって容器本体１０に装着されていて、そのような装着状態では鍔形部２２が巻締め部１４に重なり合っている。また、ヒンジ２３が折り曲げられた状態で、押込み操作部２４が上記ステム１６に装着されていて、ステム１６の吐出通路から吐出された内容物がノズル部２５のノズル孔から噴射されるようになっている。
【００３２】
さらに、容器本体１０にカバーキャップ４０を着脱することができるようになっている。このカバーキャップ４０は、エアゾール容器の不使用時には、容器本体１０の円筒状胴部１２とドーム形部分１３を形成しているマウンテンカップとの巻締め結合部１７に嵌着されることによって上記アタッチメント２０を覆うようになっている。
【００３３】
以上の構成を有するエアゾール容器を通常使用して内容物を噴射するときには、カバーキャップ４０を容器本体１０から取り外した後、図１の矢印Ｐのようにアタッチメント２０の摘み部２６を作業者が手の指で押し下げる。この押下げ操作により、ヒンジ２３を支点として押込み操作部２４が押し下げられてステム１６が押し込まれ、そのようなステム１６の押込みによって内容物がステム１６の吐出通路からノズル部２５のノズル孔を経て外部に噴射する。
【００３４】
この発明に係るエアゾール容器では、カバーキャップ４０が残留内容物の回収容器として利用される。そして、回収作業時には、アタッチメント２０の押込み操作部２４がステム１６から取り外され、併せて、容器本体１０から取り外したカバーキャップ４０を倒立させてアタッチメント２０に結合するという操作が行われる。
【００３５】
図３は残留内容物の回収作業を説明的に示した一部破断側面図である。同図に示したように、倒立姿勢で示されているカバーキャップ４０の頂部コーナ部分には孔部４１が備わっている。この孔部４１は、ステム１６に嵌合することのできる大きさを有していると共に、ステム１６に嵌合したときにそのステム１６の端面に突き当たる段付部４２と、ステム１６の吐出通路１８に連通する貫通孔４３とを有している。このため、図３のように、孔部４１をステム１６に嵌合してその段付部４２をステム１６の端面に突き当て、その状態でカバーキャップ４０を押し下げるというカバーキャップ押下げ動作を行うと、ステム１６が段付部４２により矢印Ｄのように押し込まれ、残留内容物がステム１６の吐出通路１８を経て孔部４１の貫通孔４３からカバーキャップ４０の内部空間に矢印Ｓのように吐出してカバーキャップ４０により回収される。この回収作業を行うに当たって、図示のようにカバーキャップ４０に通気性を持つ紙や綿などの素材１００、たとえばティッシュペーパやウェス端切れなどを緩く装填しておくと、カバーキャップ４０の内部空間に吐出した残留内容物が外部に飛び散ることなく回収される。
【００３６】
この実施形態では、上記したカバーキャップ押下げ動作を介してカバーキャップ４０を容器本体１０に結合することに用いられる結合手段が追加されている。この結合手段には、図３のようにカバーキャップ４０の孔部４１をステム１６に嵌合してそのステム１６を押し下げた場合に、その押下げ状態を維持したまま、カバーキャップ４０を容器本体１０に結合するという機能が要求される。次にこの結合手段の具体例を説明する。
【００３７】
図４〜図７には、上記したカバーキャップ押下げ動作を介してアタッチメント２０の開口２７に挿入されることにより、そのアタッチメント２０の鍔形部２２に圧入嵌合される凸部５０によって上記結合手段が構成されている事例を示してある。
【００３８】
図４は凸部５０を有するカバーキャップ４０の概略斜視図、図５は残留内容物の回収作業時のカバーキャップ４０の使用状態を示した一部破断側面図、図６は図５のＶＩ−ＶＩ線に沿う一部破断正面図、図７はアタッチメント２０の鍔形部２２に凸部５０が圧入嵌合されている状態を示した横断平面図である。
【００３９】
図４のように、カバーキャップ４０は、その頂板部４４が軸線に対して傾斜していて、その頂板部４４の再高位部分に近い箇所に、段付部４２を有する孔部４１が設けられている。また、凸部５０は、頂板部４４の再高位部分に近い箇所で、孔部４１の形成箇所とその周囲の円弧状領域とを凹ませることによって形成されていて、孔部４１を取り囲む形態の馬蹄形に形成されている。図４には、孔部４１の形成箇所での凹み箇所を符号４５で示して、円弧状領域での凹み箇所を符号４６で示してある。
【００４０】
その他の構成、すなわち容器本体１０やアタッチメント２０など構成は図１又は図２を参照して説明したところと同様である。
【００４１】
残留内容物の回収作業に際し、カバーキャップ４０は容器本体１０から取り外される。そして、図５及び図６のように、容器本体１０から取り外されたカバーキャップ４０の孔部４１を容器本体１０側のステム１６（図３参照）に嵌合することと併せて、凸部５０をアタッチメント２０の開口２７に挿入し、さらにカバーキャップ４０を押し下げる。そのようなカバーキャップ押下げ動作を行うと、図５及び図６、図７のように、孔部４１の段付部４２がステム１６の端面に突き当たって、ステム１６が図３矢印Ｄのように押し込まれると共に、凸部５０がアタッチメント２０の鍔形部２２に圧入嵌合される。こうして凸部５０が鍔形部２２に圧入嵌合されると、カバーキャップ４０が、凸部５０によって、アタッチメント２０を介して容器本体１０にぐらついたり脱落したりしない状態で保持される。また、ステム１６が押し込まれているため、図３を参照して説明したように、残留内容物がステム１６の吐出通路１８を経て孔部４１の貫通孔４３からカバーキャップ４０の内部空間に吐出してカバーキャップ４０により回収される。
【００４２】
この具体例では、図４のように、凸部５０の両側面にリブ状の係合爪６１を形成してある。そして、上記したカバーキャップ押下げ動作を介して凸部５０が鍔形部２２に圧入嵌合されたときには、図６又は図７のように、係合爪６１が開口２７の口縁部２８を乗り越えて鍔形部２２に係合するようになっている。このように、凸部５０に係合爪６１を追加しておくと、凸部５０が鍔形部２２に圧入嵌合することによって発揮されるぐらつき防止や脱落防止の作用に、鍔形部２２に対する係合爪６１の係合作用が相乗する。そのため、残留内容物の回収作業時のカバーキャップ４０の姿勢安定性が向上し、残留内容物の回収途中でカバーキャップ４０がぐらついたり脱落したりして、ステム１６から吐出された内容物がカバーキャップ４０に回収されずに周囲に飛び散ってしまうという事態が起こりにくくなる。
【００４３】
この具体例では、図４などのように係合爪６１を凸部５０の側面に追加することにより、その係合爪６１をアタッチメント２０の鍔形部２２に係合させるように構成してある。
【００４４】
これに対し、図８〜図１１には、容器本体１０の巻締め部１４に係合爪を係合させることによって、残留内容物の回収作業時のカバーキャップ４０の姿勢安定性を向上させるようにした事例を示してある。
【００４５】
図８は凸部５０を有するカバーキャップ４０の概略斜視図、図９は残留内容物の回収作業時のカバーキャップ４０の使用状態を示した一部破断側面図、図１０は図９のＸ−Ｘ線に沿う一部破断正面図、図１１はアタッチメント２０の鍔形部２２に凸部５０が圧入嵌合されている状態を示した横断平面図である。
【００４６】
図８のように、この具体例では、カバーキャップ４０の傾斜した頂板部４４の中央部に、段付部４２を有する孔部４１が設けられている。また、凸部５０は、頂板部４４の中央部で、孔部４１の形成箇所とその周囲の円弧状領域とを凹ませることによって形成されていて、孔部４１を取り囲む形態の馬蹄形に形成されている。図８には、孔部４１の形成箇所での凹み箇所を符号４５で示して、円弧状領域での凹み箇所を符号４６で示してある。      
【００４７】
残留内容物の回収作業に際しては、図９及び図１０のように、容器本体１０から取り外されたカバーキャップ４０の孔部４１を容器本体１０側のステム１６（図３参照）に嵌合することと併せて、凸部５０をアタッチメント２０の開口２７に挿入して、さらにカバーキャップ４０を押し下げる。そのようなカバーキャップ押下げ動作を行うと、図９及び図１０、図１１のように、孔部４１の段付部４２がステム１６の端面に突き当たって、ステム１６が図３矢印Ｄのように押し込まれると共に、凸部５０がアタッチメント２０の鍔形部２２に圧入嵌合される。こうして凸部５０が鍔形部２２に圧入嵌合されると、カバーキャップ４０が、凸部５０によって、アタッチメント２０を介して容器本体１０にぐらついたり脱落したりしない状態で保持される。また、ステム１６が押し込まれているため、図３を参照して説明したように、残留内容物がステム１６の吐出通路１８を経て孔部４１の貫通孔４３からカバーキャップ４０の内部空間に吐出してカバーキャップ４０により回収される。
【００４８】
この具体例では、図８のように、円弧状の凹み箇所４６によって形成されている凹入部の内壁面４７にリブ状の係合爪６２を形成してある。そして、上記したカバーキャップ押下げ動作を介して凸部５０が鍔形部２２に圧入嵌合されたときには、図１０又は図１１のように、係合爪６２が容器本体１０の巻締め部１４を乗り越えてその下面に係合するようになっている。このように、凹入部の内壁面４７に係合爪６２を追加しておくと、凸部５０が鍔形部２２に圧入嵌合することによって発揮されるぐらつき防止や脱落防止の作用に、巻締め部１４に対する係合爪６２の係合作用が相乗する。そのため、残留内容物の回収作業時のカバーキャップ４０の姿勢安定性が向上し、残留内容物の回収途中でカバーキャップ４０がぐらついたり脱落したりして、ステム１６から吐出された内容物がカバーキャップ４０に回収されずに周囲に飛び散ってしまうという事態が起こりにくくなる。
【００４９】
さらにこの具体例では、図８のように、カバーキャップ４０の最高位部分に近い箇所に凹入状の支え面７１を形成してある。そして、カバーキャップ４０が容器本体１０に結合されたときに、図９のように容器本体１０のドーム形部分１３の表面にその支え面７１が重なり合ってカバーキャップ４０の結合姿勢を安定させるようになっている。この構成によると、残留内容物の回収作業時のカバーキャップ４０の安定性がいっそう向上する。
【００５０】
次に、図１２〜図１５には、上記した凸部５０を省略した事例を示してある。
【００５１】
図１２はこの事例のカバーキャップ４０の概略斜視図、図１３は残留内容物の回収作業時のカバーキャップ４０の使用状態を示した一部破断側面図、図１４は図１３のＸＩＶ−ＸＩＶ線に沿う一部破断正面図、図１５は容器本体１０にカバーキャップ４０が結合されている状態を示した横断平面図である。
【００５２】
図１２のように、この具体例では、カバーキャップ４０の傾斜した頂板部４４の中央部に、段付部４２を有する孔部４１が設けられていると共に、その孔部４１の周囲を広く凹ませることによって凹入部を形成し、その凹入部の内壁面４７にリブ状の係合爪６２を形成してある。図４〜図７や図８〜図１１に示されている凸部５０に相当する要素は設けられていない。そして、上記したカバーキャップ押下げ動作が行われたときには、図１４又は図１５のように、係合爪６２が容器本体１０の巻締め部１４を乗り越えてその下面に係合するようになっている。
【００５３】
この具体例では、アタッチメント２０の鍔形部２２に圧入嵌合される凸部５０に相当する要素が設けられていないものの、上記のように凹入部の内壁面４７に追加されている係合爪６２が、巻締め部１４に係合するしてカバーキャップ４０を容器本体１０に保持させるので、残留内容物の回収作業時のカバーキャップ４０の姿勢安定性を保つことが可能になる。したがって、残留内容物の回収途中でカバーキャップ４０がぐらついたり脱落したりして、ステム１６から吐出された内容物がカバーキャップ４０に回収されずに周囲に飛び散ってしまうという事態が起こりにくくなる。
【００５４】
さらにこの具体例では、図１２のように、カバーキャップ４０の最高位部分に近い箇所に凹入状の支え面７１を形成してある。そして、カバーキャップ４０が容器本体１０に結合されたときに、図１３のように容器本体１０のドーム形部分１３の表面にその支え面７１が重なり合ってカバーキャップ４０の結合姿勢を安定させるようになっている。この構成によると、残留内容物の回収作業時のカバーキャップ４０の安定性がいっそう向上する。
【００５５】
なお、図１２〜図１５を参照して説明した具体例を、図８〜図１１を参照して説明した具体例と対比すると、前者は、後者に存在している凸部５０を省略した構成になっている。また、図４〜図７に示した事例においても、カバーキャップに支え面を具備させ、その支え面が容器本体のドーム形部分の表面に重なり合ってカバーキャップの結合姿勢を安定させるようにすることも可能である。
【００５６】
なお、図１〜図１５では、同一又は相当する部分に同一符号を付してある。
【図面の簡単な説明】
【００５７】
【図１】本発明の対象であるエアゾール容器の概略側面図である。
【図２】アタッチメントを一部省略して示した斜視図である。
【図３】残留内容物の回収作業を説明的に示した一部破断側面図である。
【図４】カバーキャップの概略斜視図である。
【図５】残留内容物の回収作業時のカバーキャップの使用状態を示した一部破断側面図である。
【図６】図５のＶＩ−ＶＩ線に沿う一部破断正面図である。
【図７】アタッチメントの鍔形部に凸部が圧入嵌合されている状態を示した横断平面図である。
【図８】カバーキャップの概略斜視図である。
【図９】残留内容物の回収作業時のカバーキャップの使用状態を示した一部破断側面図である。
【図１０】図９のＸ−Ｘ線に沿う一部破断正面図である。
【図１１】アタッチメントの鍔形部に凸部が圧入嵌合されている状態を示した横断平面図である。
【図１２】カバーキャップの概略斜視図である。
【図１３】残留内容物の回収作業時のカバーキャップの使用状態を示した一部破断側面図である。
【図１４】図１３のＸＩＶ−ＸＩＶ線に沿う一部破断正面図である。
【図１５】容器本体にカバーキャップが結合されている状態を示した横断平面図である。
【符号の説明】
【００５８】
１０  容器本体
１２  円筒状胴部
１３  ドーム形部分
１４  巻締め部
１６  ステム
１８  吐出通路
２０  アタッチメント
２１  取付部
２２  鍔形部
２３  ヒンジ
２４  押込み操作部
２５  ノズル部
２７  開口
４０  カバーキャップ
４１  孔部
４７  凹入部の内壁面
５０  凸部
６１  係合爪
６２  係合爪
７１  支え面
【図１】
2009249019.tif 000003
【図２】
2009249019.tif 000004
【図３】
2009249019.tif 000005
【図４】
2009249019.tif 000006
【図５】
2009249019.tif 000007
【図６】
2009249019.tif 000008
【図７】
2009249019.tif 000009
【図８】
2009249019.tif 000010
【図９】
2009249019.tif 000011
【図１０】
2009249019.tif 000012
【図１１】
2009249019.tif 000013
【図１２】
2009249019.tif 000014
【図１３】
2009249019.tif 000015
【図１４】
2009249019.tif 000016
【図１５】
2009249019.tif 000017